(57)【特許請求の範囲】
【請求項１】
略円筒形状に形成されたスケール本体の内部に、乳幼児の口の大きさに近似した内径と乳幼児の口から喉までの長さに近似した深さを有する略有底筒形状に形成されたスケール筒を、当該スケール筒の口縁と上記スケール本体の口縁を合致するように配設してなる事を特徴とする誤飲・窒息防止用スケール。
【請求項２】
前記スケール本体の内下部に、前記スケール筒の底部から軸方向に摘みリブを延設してなる事を特徴とする請求項１に記載の誤飲・窒息防止用スケール。
【請求項３】
前記スケール本体及び前記スケール筒を透明ないし半透明材料又は不透明材料で形成してなる請求項１又は２に記載の誤飲・窒息防止用スケール。
【請求項４】
前記スケール筒が、乳幼児が口を開けた状態において上顎切歯点（Ａ）と下顎切歯点（Ｄ）と該下顎切歯点（Ｄ）から咽頭部軟組織と交わる点（Ｂ）及び下顎切歯点（Ｄ）から下顎第二乳臼歯咬頭頂と交わる点（Ｃ）に合致する断面略台形形状をした変形筒形状に形成されている請求項１又は２又は３記載の誤飲・窒息防止用スケール。
【請求項５】
乳幼児の口の大きさに近似した内径と乳幼児の口から喉までの長さに近似した深さを有する略有底筒形状に形成されたスケール筒からなり、該スケール筒が、乳幼児が口を開けた状態において上顎切歯点（Ａ）と下顎切歯点（Ｄ）と該下顎切歯点（Ｄ）から咽頭部軟組織と交わる点（Ｂ）及び下顎切歯点（Ｄ）から下顎第二乳臼歯咬頭頂と交わる点（Ｃ）に合致する断面略台形形状をした変形筒形状に形成されている誤飲・窒息防止用スケール。
【発明の詳細な説明】
【０００１】
【発明の属する技術分野】
本発明は、乳幼児等が口に入れる可能性があると思われる物（異物）や、口に入れたら飲み込んでしまう危険性があると思われる物（異物）、或いは口に入れたら窒息してしまう危険性があると思われる物（異物）、これらの大きさ等を、簡便に判断することが可能な誤飲・窒息防止用スケールに関するものである。
【０００２】
【技術的背景】
乳幼児は手にしたものは何でも口にもっていくので、口に入れたら飲み込んでしまったり窒息してしまう危険性があるような物（異物）は、基本的に乳幼児の手のとどかない所に置くべきであり、且つその様な危険性があることを、乳幼児をとりまく周囲の者に啓蒙を図ることが好ましい。
【０００３】
しかし乍ら、実際問題として、どの程度の大きさや形状をした物が乳幼児の口に入りそして飲み込んだり窒息する危険性があるのかを判断することは難しく、乳幼児等が口に入れたり飲み込んだり窒息する恐れがある物の大きさや形状を簡便に計測ないし判断しえる用具（スケール）及び教材の提供が望まれているのが現状である。
【０００４】
【発明が解決しようとする課題】
本発明はこのような現状に鑑みてなされたものであり、過去のデータと乳幼児の実測値に基いて最も適した形状と大きさを見出した点に本特許の意義がある。本発明の目的とするところは、乳幼児の口に入る可能性がある物や口に入れたら飲み込んでしまったり窒息する危険性があると思われる物（異物）の大きさや形状を立体形状のまま視覚的に簡便に判断しえると共に、乳幼児に対する誤飲防止に関する啓発や関心を持たせるための教材としても使用し得る誤飲・窒息防止用スケールを提供せんとするものである。
【０００５】
【課題を解決するための手段】
斯かる目的を達成する本発明に係る誤飲・窒息防止用スケールは、略円筒形状に形成されたスケール本体の内部に、乳幼児の口の大きさに近似した内径と乳幼児の口から喉までの長さに近似した深さを有する略有底筒形状に形成されたスケール筒を、当該スケール筒の口縁と上記スケール本体の口縁を合致するように配設してなる事を特徴したものである（請求項１）。
この際、本誤飲・窒息防止用スケールを乳幼児に対する誤飲・窒息防止に関する啓発や関心を持たせるための教材として使用する時に、その構造や成り立ちなどを受講者に明示しやすいように、前記スケール本体の内下部に、前記スケール筒の底部から軸方向に摘みリブを延設したり（請求項２）、または前記スケール本体及び前記スケール筒を透明ないし半透明材料で形成する（請求項３）ことが好ましい。
また、より適確な誤飲・窒息防止を期することができるように、前記スケール筒を、乳幼児が口を開けた状態において上顎切歯点（Ａ）と下顎切歯点（Ｄ）と該下顎切歯点（Ｄ）から咽頭部軟組織と交わる点（Ｂ）及び下顎切歯点（Ｄ）から下顎第二乳臼歯咬頭頂と交わる点（Ｃ）に合致する断面略台形形状をした変形筒形状に形成することが好ましい（請求項４）。
かくして、本発明に係る誤飲・窒息防止用スケールにおいて、スケール本体そのものは必須のものではなく、前記スケール筒のみから構成しても良い（請求項５）。
【０００６】
【発明の実施の形態】
以下、本発明の具体的な好適実施例を、スケール本体１とその内部に一体に配設されたスケール筒２とで構成された実施例を図面に基づき詳細に説明するが、本発明は図示実施例のものに限定されるものではなく、スケール筒２のみから構成しても良いことは以下の説明で理解されるだろう。
【０００７】
スケール本体１は、スケール筒２を保持して誤飲・窒息防止用スケールとしての外観意匠的体裁を整えることを主な目的として、プラスチック材または金属材等を用いてスケール筒２を収容し得る大きさ（長さ）を有する略円筒形状に形成され、その開放された上側の内部にスケール筒２を一体に配設すると共に、開放された下側の内部に摘みリブ３をスケール筒２の底部２ａから当該スケール本体１の内部を軸方向に半分に仕切るように延設する。
この時、スケール本体１及びスケール筒２をそれぞれ不透明な材料で形成しても良いが、内部に配置したスケール筒２がスケール本体１を通して外部から観察できるように、スケール本体１を透明ないしは半透明なプラスチック材等で形成することが好ましい。ちなみに図示した実施例では、スケール本体１を始めとしてスケール筒２及び摘みリブ３を透明なプラスチック材を用いて射出成形法により同一体に形成してなる。
【０００８】
スケール筒２は、乳幼児の口の中に入る可能性がある物（異物）の大きさや形状（外形の大きさ）を計測するためのものであり、透明ないし半透明または不透明なプラスチック材または金属材等を用いて、乳幼児の口の大きさに近似した内径と乳幼児の口から喉までの長さに近似した深さを有する略有底筒形状に形成してなり、その口縁がスケール本体１の口縁１ａと合致するようにスケール本体１の内部に一体に配設される。
【０００９】
具体的にこのスケール筒２は、図４に示すごとく乳幼児が最大に口を開けた状態において、上顎切歯点を（Ａ）とし下顎切歯点を（Ｄ）とし、この下顎切歯点（Ｄ）から咽頭部軟組織と交わる点を（Ｂ）とし、上記下顎切歯点（Ｄ）から下顎第二乳臼歯咬頭頂と交わる点を（Ｃ）とした時に、点（Ａ）（Ｂ）（Ｃ）（Ｄ）に合致する大きさの断面略台形形状をした変形筒形状に形成するものである。ここで、これら各点（Ａ）（Ｂ）（Ｃ）（Ｄ）間の長さについて、過去のデータと最近の乳幼児の実測値（３歳児小児１７名）の平均を調べたところ、乳幼児の最大開口の大きさすなわち点（Ａ）と（Ｄ）を結ぶ長さは約３７ｍｍであり、点（Ａ）と（Ｂ）を結ぶ長さは約３５ｍｍであり、点（Ｃ）と（Ｄ）を結ぶ長さは約４４ｍｍであり、点（Ｂ）と（Ｃ）を結ぶ長さは約２４ｍｍであり、そして点（Ｂ）と（Ｄ）を結ぶ長さは約５２ｍｍであった。
そこで本発明者等は、上述した過去のデータと最近の乳幼児の実測値に基づいて、本スケール筒２の大きさを、乳幼児の口の大きさに近似した内径すなわち点（Ａ）と（Ｄ）を結ぶ長さを３９ｍｍとし、乳幼児の口から喉までの長さに近似した深さすなわち各点（Ａ）（Ｂ）（Ｃ）（Ｄ）間の長さで最も長い直線となる点（Ｂ）と（Ｄ）を結ぶ長さを５１ｍｍに設定した。
【００１０】
次に、本発明に係る誤飲・窒息防止用スケールの使用方法について説明する。或る物（被検査物）を、乳幼児等の口の中に入る可能性があるかどうかを調べたい場合には、その物（被検査物）をスケール筒２内に挿入させてみる。その結果、その物（被検査物）がスケール筒２内に無理なく入るようであれば、その物（被検査物）を乳幼児等が口に持っていった場合に、乳幼児等の口の中に入る可能性があると判断される。この際、柔らかい物の場合には、少し押し込んだだけで変形してスケール筒２内に納まってしまうことがあるので、その場合も乳幼児等の口の中に入る可能性があると判断される。
また、或る物（被検査物）を、乳幼児が飲み込んでしまったり窒息してしまう危険性があるかどうかを調べたい場合には、同様にその物（被検査物）をスケール筒２内に挿入させてみる。その結果、その物（被検査物）がスケール筒２内に隠れてしまうようであれば、その物を乳幼児等が口の中に入れた場合に飲み込んでしまう危険性があると判断され、その物（被検査物）の形状によっては窒息する危険性があるものと判断される。
【００１１】
すなわち、例えばボールペンのキャップを想定した場合、その最大外径がスケール筒２の内径よりも小さければ、乳幼児等が口に持っていった時に乳幼児等の口の中に入る可能性があると判断され、その最大長さがスケール筒２内部の最大長（点（Ｂ）と（Ｄ）を結ぶ長さ）よりも長ければ、乳幼児等が口の中に入れた場合でも飲み込んでしまう危険性がないと判断するものである。
【００１２】
【発明の効果】
本発明に係る誤飲・窒息防止用スケールは斯様に、略円筒形状に形成されたスケール本体の内部に、乳幼児の口の大きさに近似した内径と乳幼児の口から喉までの長さに近似した深さを有する略有底筒形状に形成されたスケール筒を、当該スケール筒の口縁と上記スケール本体の口縁を合致するように配設してなるので、乳幼児の口に入る可能性がある物や乳幼児が口に入れたら飲み込んだり窒息してしまう危険性があると思われる物（異物）の大きさ（長さを含む）を、スケール筒内に挿入するだけで立体形状のまま簡易且つ簡便に視覚的に判断することが可能となる。
【００１３】
また、本発明の請求項２記載の誤飲・窒息防止用スケールによれば、スケール本体の内下部にスケール筒の底部から軸方向に摘みリブを延設してなるので、スケール本体内に収容されたスケール筒の強度を向上させることが出来ると共に、本誤飲・窒息防止用スケールを誤飲防止に関する啓発や関心を持たせるための教材として使用する時に、摘みリブを持って説明することにより、受講者にスケール本体の外形全体を明示しやすくなる。
【００１４】
また、本発明の請求項３記載の誤飲・窒息防止用スケールによれば、スケール本体及び前記スケール筒を透明ないし半透明材料で形成してなるので、本誤飲・窒息防止用スケールを誤飲・窒息防止に関する啓発及び関心を持たせるための教材として用いた場合に、スケール本体内に収容されたスケール筒を含めてその構造や成り立ち（図４で説明していること）などを受講者に明示しやすくなり、指導者（教習者）にとって説明がしやすくなると同時に、教材として優れたものとなる。
【００１５】
更に、本発明請求項４記載の誤飲・窒息防止用スケールによれば、スケール筒を、乳幼児が口を開けた状態において、上顎切歯点（Ａ）と下顎切歯点（Ｄ）と該下顎切歯点（Ｄ）から咽頭部軟組織と交わる点（Ｂ）及び下顎切歯点（Ｄ）から下顎第二乳臼歯咬頭頂と交わる点（Ｃ）に合致する断面略台形形状をした変形筒形状に形成してなるので、今までの感により作成されたスケールと比較して、より適確な誤飲・窒息防止を期することが出来るようになる。
【図面の簡単な説明】
【図１】  本発明実施の一例を示す斜視図。
【図２】  図１の（Ｘ）−（Ｘ）線に沿う断面図。
【図３】  同底面図。
【図４】  本発明に係るスケール筒の形状大きさを決める根拠を説明する図。
【符号の説明】
１：スケール本体                      １ａ：スケール本体の口縁
２：スケール筒                        ２ａ：スケール筒の底部
３：摘みリブ
【図１】
0003706795.tif 000002
【図２】
0003706795.tif 000003
【図３】
0003706795.tif 000004
【図４】
0003706795.tif 000005